(57)【要約】【課題】動作状態等を表示する可変表示部を機器本体の限られたスペース内に配設でき、機器本体と可動モニタ装置間に異物が誤挿入されることを確実に防止できる車載用電子機器を提供すること。【解決手段】メディア挿入口６を機器本体２の前面部から奥側に向かって凹形状に形成すると共に、このメディア挿入口６の底面６ａに動作状態等を表示可能な可変表示部１１を配設した。また、この機器本体２上に移動用ギャップ８を存して可動モニタ装置３を積層配置し、可動モニタ装置３の前面側に機器本体の上面に向かって垂下する突部９ａを設け、この突部９ａと移動用ギャップ８とを正面視オーバーラップさせると共に、メディア挿入口６の天面６ｂに突部９ａとの接触を回避する切欠き部２ａを設け、可動モニタ装置３の収納時に突部９ａが移動用ギャップ８を通って切欠き部２ａ内に達するようにした。【選択図】　　　図４
2004087036.tif 000002
【特許請求の範囲】
【請求項１】
前面部に横長形状のメディア挿入口および複数の操作釦を有する機器本体と、この機器本体の上方に移動用ギャップを存して積層配置された可動モニタ装置とを備え、この可動モニタ装置を前記移動用ギャップに沿って前進させると共に起立させることにより、該可動モニタ装置の表示画面が前記機器本体の前面側に露出される車載用電子機器において、前記メディア挿入口を前記機器本体の前面部から奥側に向かって凹形状に形成し、このメディア挿入口の底面に可変表示部を設けたことを特徴とする車載用電子機器。
【請求項２】
請求項１の記載において、前記可動モニタ装置の後退位置での前面側に前記機器本体の上面に向かって垂下する突部を設け、この突部と前記移動用ギャップとを正面視オーバーラップさせると共に、前記メディア挿入口の天面に前記突部との接触を回避する切欠き部を設け、前記可動モニタ装置の後退位置で前記突部をこの切欠き部内に挿入したことを特徴とする車載用電子機器。
【請求項３】
請求項１または２の記載において、前記可変表示部が前記機器本体または前記可動モニタ装置の動作状態を表示することを特徴とする車載用電子機器。
【発明の詳細な説明】
【０００１】
【発明の属する技術分野】
本発明は、メディア挿入口等を有する機器本体上に表示画面を有する可動モニタ装置が積層配置され、この可動モニタ装置を前進させると共に起立させることにより、表示画面が機器本体の前面側に露出するように構成された車載用電子機器に関する。
【０００２】
【従来の技術】
近年、多機能型の車載用電子機器において、メディア挿入口や操作釦を有する機器本体上に表示画面を有する可動モニタ装置を積層配置し、この可動モニタ装置を機器本体の前面に対して出没自在としたものが普及しつつある。かかる車載用電子機器は、搭乗者が表示画面を見ないときには可動モニタ装置を水平な姿勢で機器本体上に収納しておき、例えばテレビ画像を見るときに可動モニタ装置を前進させて所定角度だけ起立させることにより、表示画面を搭乗者の見やすい位置に露出させるようにしたものであり、機器本体上方の限られたスペースに大型の表示画面を配置できるという利点がある。
【０００３】
【発明が解決しようとする課題】
ところで、この種の可動モニタ装置を備えた車載用電子機器では、機器本体の前面部の限られたスペースが横長形状のメディア挿入口と複数の操作釦群によって占有されているため、例えば動作状態等を表示する可変表示部を機器本体の前面部に配設しようとしても、その設置スペースを確保することが困難であるという問題があった。また、この種の可動モニタ装置を備えた車載用電子機器では、可動モニタ装置を機器本体の上面に沿ってスムーズに前後進させるために、可動モニタ装置と機器本体の上面との間に移動用ギャップが必要となる。このような理由から、前述した従来の車載用電子機器においては、可動モニタ装置が水平な姿勢で機器本体上に収納されているとき、可動モニタ装置の下面と機器本体の上面間に横長形状の隙間ができてしまい、この隙間から移動用ギャップ内に異物が誤挿入されるという問題があった。特に、機器本体の前面部の上側に横長形状のメディア挿入口が開設されている場合、上記隙間がメディア挿入口の上部近傍に平行にできてしまうため、搭乗者がメディア挿入口からＣＤやＤＶＤ等のメディアを挿入しようとしたとき、誤って上記隙間にメディアを挿入してしまう可能性が高くなり、異物の誤挿入という問題は顕著なものとなる。
【０００４】
本発明は、このような従来技術の実情に鑑みてなされたもので、その目的は、動作状態等を表示する可変表示部を機器本体の限られたスペース内に配設できる車載用電子機器を提供することにあり、他の目的は、機器本体と可動モニタ装置間に異物が誤挿入されることを確実に防止できる車載用電子機器を提供することにある。
【０００５】
【課題を解決するための手段】
本発明は、機器本体の前面部に開設される横長形状のメディア挿入口を奥側に向かって凹形状に形成し、このメディア挿入口の底面に可変表示部を設けることとする。このようにメディア挿入口の底面を可変表示部の設置スペースとして有効利用すると、機器本体の限られたスペース内に動作状態等を表示する可変表示部を配設することができ、搭乗者はこの可変表示部の表示内容を見ることにより、例えば機器本体や可動モニタ装置の動作状態等を知ることができる。また、上記の構成に加えて、可動モニタ装置の後退位置における前面側に機器本体の上面に向かって垂下する突部を設け、この突部と移動用ギャップとを正面視オーバーラップさせると共に、メディア挿入口の天面に突部との接触を回避する切欠き部を設け、可動モニタ装置の後退位置で突部をこの切欠き部内に挿入することとする。可動モニタ装置にこのような突部を設けると、可動モニタ装置が水平な姿勢で機器本体上に収納されているとき、可動モニタ装置の下面と機器本体の上面との間にできる横長形状の隙間に対して突部が正面視オーバーラップするため、メディア等の異物が隙間から移動用ギャップ内に誤挿入されることはなくなる。また、可動モニタ装置を収納状態から起立させる前進動作時や、その逆に可動モニタ装置を起立状態から収納させる後退動作時において、突部は移動用ギャップの手前側のみを移動するだけであるため、突部によって可動モニタ装置のスムーズな前後進動作が妨げられることはない。
【０００６】
【発明の実施の形態】
本発明の車載用電子機器では、前面部に横長形状のメディア挿入口および複数の操作釦を有する機器本体と、この機器本体の上方に移動用ギャップを存して積層配置された可動モニタ装置とを備え、この可動モニタ装置を前記移動用ギャップに沿って前進させると共に起立させることにより、該可動モニタ装置の表示画面が前記機器本体の前面側に露出される車載用電子機器において、前記メディア挿入口を前記機器本体の前面部から奥側に向かって凹形状に形成し、このメディア挿入口の底面に可変表示部を設けた。
【０００７】
このように構成された車載用電子機器によれば、機器本体の前面部に開設されたメディア挿入口の底面を有効利用して可変表示部を設置することができ、搭乗者はこの可変表示部の表示内容を見ることにより、例えば機器本体や可動モニタ装置の動作状態等を知ることができる。
【０００８】
上記の構成において、可動モニタ装置の後退位置での前面側に機器本体の上面に向かって垂下する突部を設け、この突部と移動用ギャップとを正面視オーバーラップさせると共に、メディア挿入口の天面に突部との接触を回避する切欠き部を設け、可動モニタ装置の後退位置で突部をこの切欠き部内に挿入させることが好ましい。
【０００９】
このような構成を採用すると、可動モニタ装置が水平な姿勢で機器本体上に収納された後退位置にあるとき、突部が移動用ギャップを通ってメディア挿入口の天面の切欠き部内に達するため、可動モニタ装置の下面と機器本体の上面との間にできる横長形状の隙間からメディア等の異物が移動用ギャップ内に誤挿入されることを確実に防止でき、しかも、可動モニタ装置の前後進時に突部は移動用ギャップの手前側と切欠き部のみを移動するだけであるため、可動モニタ装置のスムーズな前後進動作を確保することができる。
【００１０】
【実施例】
実施例について図面を参照して説明すると、図１は車載用電子機器の可動モニタ装置が収納されている状態を示す正面図、図２は該車載用電子機器の斜視図、図３は該車載用電子機器の可動モニタ装置が起立している状態を示す正面図、図４は図１のＡ−Ａ線に沿う断面図、図５は該車載用電子機器に備えられる可変表示部の表示内容を示す説明図である。
【００１１】
図１〜図４において、符号１は車載用電子機器の外殻を形成する箱形形状の筐体を示し、この筐体１には機器本体２と可動モニタ装置３とが上下２段に積層配置されている。機器本体２の前面部には、操作つまみ４やイジェクト釦５ａを含む複数の操作釦５が配設されると共に、その略中央部上側にはＣＤやＤＶＤ等のディスク状メディアを挿入／排出するための横長形状のメディア挿入口６が開設されている。このメディア挿入口６は機器本体２の前面部から奥側に向かって凹形状に形成されており、メディア挿入口６の底面６ａにはＬＣＤからなる可変表示部１１が配設されている。後述するように、この可変表示部１１には種々の動作状態等が表示され、任意の操作釦５によって可変表示部１１の表示内容を選択できるようになっている。なお、機器本体２の内部には、メディアの搬送機構や光ピックアップ等からなる図示せぬ再生装置が配設されている。
【００１２】
可動モニタ装置３はＬＣＤからなる表示画面７を有し、この表示画面７の非使用状態において、可動モニタ装置３は表示画面７を下面に向けた水平な姿勢で機器本体２上に収納されている。可動モニタ装置３には表示画面７の周囲に位置する複数の操作釦３ｂが配設されており、これら操作釦３ｂを用いて例えばテレビの受信チャンネルをプリセットすることができる。図示省略されているが、筐体１の内部には、可動モニタ装置３を前後進させることのできるスライド移動駆動機構と、可動モニタ装置３を前進位置で回動させることのできる回転移動駆動機構とが配設されており、これらスライド移動駆動機構と回転移動駆動機構を用いて可動モニタ装置３を前進させ且つ起立させることにより、表示画面７は筐体１から突出して機器本体２の上方に起立状態で露出するようになっている（図３参照）。その際、可動モニタ装置３のスムーズな前後進動作を行わせるために、機器本体２の上面と可動モニタ装置３の下面との間には移動用ギャップ８（図４参照）が確保されている。
【００１３】
また、可動モニタ装置３の収納状態（後退位置）での前面側には、例えばこの可動モニタ装置３を使用状態に起立させるための操作釦３ａが配設されると共にスケールプレート９が取り付けられている。このスケールプレート９は例えば黒く着色されたアクリル樹脂材からなり、可動モニタ装置３の前面部の化粧板として機能する。スケールプレート９には正面から見て下側へ円弧状に突出する突部９ａが形成されており、この突部９ａは移動用ギャップ８の手前側（図４の右端部）の隙間Ｓを通って機器本体２の上面方向へ垂下している。一方、機器本体２の前面上端部には切欠き部２ａが形成されており、最も突出量の大きい突部９ａの中央部下端はこの切欠き部２ａ内に挿入されている。すなわち、可動モニタ装置３が水平な姿勢で機器本体２上に収納されているとき、機器本体２の上面と可動モニタ装置３の下面と間に本来できるはずの移動用ギャップ８の横長形状の開口端（隙間Ｓ）に対して突部９ａが正面視オーバーラップしており、この突部９ａは中央部の下端が切欠き部２ａ内に挿入することにより、機器本体２の前面上端部との接触が回避されている。また、可動モニタ装置３の収納状態（後退位置）での後面側にも同様の突部１０が設けられており、図３に示すように、表示画面７が露出する可動モニタ装置３の起立状態において、この突部１０は移動用ギャップ８の手前側の隙間Ｓを通って機器本体２の切欠き部２ａ内に挿入されている。なお、機器本体２の切欠き部２ａは、メディア挿入口６の天面６ｂの前端が部分的に後方へ向かって凹状に切り欠かれて形成されたものである。よって、この切欠き部２ａに入り込む突部９ａは、メディア挿入口６を囲む壁面の一部として機能する。
【００１４】
このように構成された車載用電子機器では、可動モニタ装置３の収納状態において、図１と図２に示すように、この可動モニタ装置３は表示画面７を下面に向けた水平な姿勢で機器本体２上に収納されており、突部９ａは移動用ギャップ８の手前側の隙間Ｓを通って機器本体２の切欠き部２ａ内に達している。すなわち可動モニタ装置３が筐体１内に収納されている待機状態では、可動モニタ装置３の下面と機器本体２の上面との間にできる横長形状の隙間Ｓの大部分が突部９ａによって塞がれているため、薄板状の異物を移動用ギャップ８内に誤挿入することを防止でき、特に、メディア挿入口６に挿入しようとしたディスク状のメディアを誤って移動用ギャップ８に挿入するという事故を確実に防止できると共に、突部９ａがメディアの挿入をガイドするガイド部として機能し、メディアをメディア挿入口６に確実に導くことができる。
【００１５】
一方、可動モニタ装置３が筐体１内に収納されている待機状態において、前記操作釦３ａ等を押圧操作すると、前述したスライド移動駆動機構と回転移動駆動機構が始動し、機器本体２上に収納されていた可動モニタ装置３が前進しながらまたは前進動作完了後に起立し、図３に示すように、表示画面７が筐体１から突出して機器本体２の上方に露出する。この場合、可動モニタ装置３の前面側に設けられた突部９ａは機器本体２と非接触の状態で切欠き部２ａから前方へ移動するため、突部９ａによって可動モニタ装置３のスムーズな前進動作が妨げられることはなく、この突部９ａは可動モニタ装置３の起立状態で表示画面７の真上に位置する。また、可動モニタ装置３の後面側に設けられた突部１０は移動用ギャップ８の上方を機器本体２の上面と非接触の状態で前方へ移動するため、突部１０によって可動モニタ装置３のスムーズな前進動作が妨げられることもない。なお、この突部１０は可動モニタ装置３の起立状態で表示画面７の真下に位置し、可動モニタ装置３の下端にできる移動用ギャップ８の隙間Ｓの大部分が突部１０によって塞がれるため、可動モニタ装置３の起立時にもメディア等の異物が移動用ギャップ８へ誤挿入されることを確実に防止できる。また、可動モニタ装置３が起立状態にあるときに、突部１０が切欠き部２ａ内に入り込むようにすれば、この起立状態においてもメディア挿入口６に対するメディアの挿入動作がスムーズに行える。
【００１６】
そして、可動モニタ装置３が筐体１から突出して起立状態にあるときに、表示画面７にテレビ画像やナビゲーション用の地図の表示を行わせ、あるいはメディア挿入口６にＤＶＤ等が挿入されたときには、挿入されたメディアの記録情報（動画等）が再生装置によって再生されると共に、その再生情報が可動モニタ装置３の表示画面７に表示される。また、かかる可動モニタ装置３の起立状態において、前記操作釦３ａを押圧操作すると上記と逆の動作が実行され、可動モニタ装置３が再び表示画面７を下面に向けた水平な姿勢で機器本体２上に収納され、また、機器本体２の前面部に配置されたイジェクト釦５ａを押圧操作すると、メディア挿入口６からメディアが排出される。
【００１７】
前記可変表示部１１には機器本体２と可動モニタ装置３の使用状態に応じた種々の動作状態等が表示されるようになっている。例えば、可動モニタ装置３が筐体１内に収納され、機器本体２にメディアが挿入されていない待機状態にあるとき、可変表示部１１に現在時刻やメディアが挿入されていないことを示す「ＥＪＥＣＴ」等の文字を表示することができる。また、メディア挿入口６に例えばＣＤが挿入されたとき、図５（ａ）に示すように、可変表示部１１に挿入されたＣＤのアルバム名や曲名あるいはアーティスト名等をスクロール表示することができ、図５（ｂ）に示すように、ＣＤの再生中は可変表示部１１にトラック番号や曲の経過時間等を表示することができる。さらに、可動モニタ装置３を筐体１から突出して起立状態にするとき、可変表示部１１に可動モニタ装置３の起立角度等の情報を表示することができ、起立状態の表示画面７にテレビ画像が表示されているとき、図５（ｃ）に示すように、受信感度を表すセグメントや受信チャンネル等を表示することができる。この場合、可変表示部１１はメディア挿入口６の底面に配設されているため、可動モニタ装置３の使用状態（収納／起立）に拘わらず、搭乗者は可変表示部１１の表示内容を斜め上方から見ることができる。なお、可変表示部１１の表示内容は図示せぬマイコンに記憶されており、このマイコンのプログラムによって適宜の表示内容に設定することができる。
【００１８】
上記実施例にあっては、機器本体２の前面部に開設された横長形状のメディア挿入口６を奥側に向かって凹形状に形成し、このメディア挿入口６の底面６ａに動作状態等を表示可能な可変表示部１１を配設したので、スペースに限りのある機器本体２の前面部にメディア挿入口６の底面６ａを有効利用して可変表示部１１を設置することができる。したがって、搭乗者はこの可変表示部１１の表示内容を見ることにより、機器本体２や可動モニタ装置３の動作状態等を知ることができ、使い勝手の良い車載用電子機器を実現することができる。また、このような機器本体２上に移動用ギャップ８を存して可動モニタ装置３を積層配置し、この可動モニタ装置３が機器本体２上に水平な姿勢で収納されているとき、移動用ギャップ８に対して正面視オーバーラップする突部９ａを可動モニタ装置３の前面側に設けたので、メディア挿入口６に挿入しようとしたメディアを誤って移動用ギャップ８内に挿入してしまうという誤挿入を確実に防止することができる。さらに、メディア挿入口６の天面６ｂに突部９ａとの接触を回避する切欠き部２ａを設け、可動モニタ装置３の収納時に突部９ａが移動用ギャップ８を通って切欠き部２ａ内に達するようにしたので、メディアの誤挿入をより確実に防止することができると共に、可動モニタ装置３の前後進時に突部９ａと機器本体２との干渉が切欠き部２ａによって回避されるため、可動モニタ装置３のよりスムーズな前後進動作を実現することができる。
【００１９】
なお、上記実施例では、可動モニタ装置３に後付けしたスケールプレート９に突部９ａを形成した場合について説明したが、このような突部９ａを可動モニタ装置３の外装ケースに一体形成したり、可動モニタ装置３に後付けされる別の部材に形成することも可能である。
【００２０】
【発明の効果】
本発明は、以上説明したような形態で実施され、以下に記載されるような効果を奏する。
【００２１】
メディア挿入口を機器本体の前面部から奥側に向かって凹形状に形成し、このメディア挿入口の底面に可変表示部を設けたので、スペースに限りのある機器本体の前面部にメディア挿入口の底面を有効利用して可変表示部を設置することができ、また、可動モニタ装置の後退位置での前面側に機器本体の上面に向かって垂下する突部を設け、この突部と移動用ギャップとを正面視オーバーラップさせると共に、メディア挿入口の天面に突部との接触を回避する切欠き部を設け、可動モニタ装置の後退位置で突部をこの切欠き部内に挿入したので、可動モニタ装置が水平な姿勢で機器本体上に収納されているとき、メディア等の異物が移動用ギャップ内に誤挿入されることを突部によって確実に防止できると共に、可動モニタ装置のスムーズな前後進動作を確保することができる。
【図面の簡単な説明】
【図１】実施例に係る車載用電子機器の可動モニタ装置が収納されている状態を示す正面図である。
【図２】該車載用電子機器の斜視図である。
【図３】該車載用電子機器の可動モニタ装置が起立している状態を示す正面図である。
【図４】図１のＡ−Ａ線に沿う断面図である。
【図５】該車載用電子機器に備えられる可変表示部の表示内容を示す説明図である。
【符号の説明】
１　筐体
２　機器本体
２ａ　切欠き部
３　可動モニタ装置
４　操作つまみ
５　操作釦
６　メディア挿入口
６ａ　底面
６ｂ　天面
７　表示画面
８　移動用ギャップ
９　スケールプレート
９ａ　突部
１０　突部
１１　可変表示部
【図１】
2004087036.tif 000003
【図２】
2004087036.tif 000004
【図３】
2004087036.tif 000005
【図４】
2004087036.tif 000006
【図５】
2004087036.tif 000007